(57)【特許請求の範囲】
【請求項１】
送信用および受信用の２本の光伝送路を介して第１の波長の光を送受信する光二芯伝送装置または１本の光伝送路を介して前記第１の波長の光を受信するとともに前記第１の波長とは異なる第２の波長の光を送信する光一芯伝送装置に選択的に接続される光一芯二芯兼用伝送装置において、
前記第１の波長の光を出力する発光素子と、
前記第１および第２の波長の光を検出する受光素子と、
前記発光素子の出力に接続される第１のポート、前記受光素子の入力に接続される第２のポート、前記光二芯伝送装置に接続された前記２本の光伝送路の一方または前記光一芯伝送装置に接続された前記１本の光伝送路に選択的に接続される第３のポート、および前記光二芯伝送装置に接続された前記２本の光伝送路の他方に選択的に接続される第４のポートの４つのポートを有する光合分波器とを備え、
前記光合分波器は、前記第１の波長の光を前記第１のポートと前記第３のポートとの間および前記第２のポートと前記第４のポートとの間に通すとともに、前記第２の波長の光を前記第２のポートと前記第３のポートとの間に通すことを特徴とする光一芯二芯兼用伝送装置。
【請求項２】
請求項１記載の光一芯二芯兼用伝送装置において、
前記第１の波長は、１．３μｍであり、
前記第２の波長は、１．５μｍである
ことを特徴とする光一芯二芯兼用伝送装置。
【発明の詳細な説明】
【０００１】
【発明の属する技術分野】
本発明は、光一芯二芯兼用伝送装置に関し、より詳しくは、光一芯伝送装置および光二芯伝送装置のどちらとでも対向して通信可能な光一芯二芯兼用伝送装置に関する。
【０００２】
【従来の技術】
光伝送装置を用いて通信を行なう方式として主に次の二つがある。一つは、送信信号と受信信号とを別々の伝送路を介して伝送する光二芯伝送方式であり、ＦＤＤＩ（Fiber Distributed Data Interface）−ＬＡＮ等に代表される構内通信網において利用される。他の一つは、送信信号と受信信号とを多重し同一の伝送路を介して伝送する光一芯伝送方式であり、ＡＴＭ（Asynchronous Transfer Mode）加入者等に代表される公共通信網において利用される。
【０００３】
従来、このような構内通信網と公共通信網とは互いに独立して運用されてきたため、光二芯伝送方式に対応する光伝送装置間、または光一芯伝送方式に対応する光伝送装置間のみで通信が可能となっていた。しかし今後は、構内通信網と公共通信網とが相互接続される必要性が生じてくるものと考えられる。そこで、特開２０００−３０７５２４号公報に、光二芯伝送方式および光一芯伝送方式の両方に対応可能な光一芯二芯兼用伝送装置が提案されている。以下、この光一芯二芯兼用伝送装置について、図７を参照して説明する。
【０００４】
図７に示す従来の光一芯二芯兼用伝送装置１０１は、光二芯伝送方式で用いられる２本の光伝送路のうちの送信用伝送路の接続端部に設けられたプラグ（図示せず）、または光一芯伝送方式で用いられる１本の光伝送路の接続端部に設けられたプラグ（図示せず）を受容するための送受信ポート１１１を有している。また、光二芯伝送方式で用いられる２本の光伝送路のうちの受信用伝送路の接続端部に設けられたプラグ（図示せず）を受容するための受信ポート１１２を有している。
【０００５】
送受信ポート１１１の内端には、ハーフミラープリズム１１３を介して、レーザダイオード（ＬＤ）１１４およびフォトダイオード（ＰＤ）１１５Ａが配設されている。また、受信ポート１１２の内端には、フォトダイオード（ＰＤ）１１５Ｂが配設されている。レーザダイオード１１４およびフォトダイオード１１５Ａ，１１５Ｂは電気回路１１６に接続されている。この電気回路１１６は、外部装置（図示せず）から入力された信号を基にレーザダイオード１１４を駆動するとともに、フォトダイオード１１５Ａ，１１５Ｂからの信号を上記外部装置へ送出する機能を有している。
【０００６】
このような構成の光一芯二芯兼用伝送装置１０１を光二芯伝送方式に対応させた場合、電気回路１１６の駆動によりレーザダイオード１１４から出力された光信号は、ハーフミラープリズム１１３を介し、送受信ポート１１１に挿入された送信用伝送路に入射する。また、受信ポート１１２に挿入された受信用伝送路からの光信号は、フォトダイオード１１５Ｂに送られ、電気信号に変換されて電気回路１１６に出力される。
一方、光一芯二芯兼用伝送装置１０１を光一芯伝送方式に対応させた場合、レーザダイオード１１４から出力された光信号は、ハーフミラープリズム１１３を介し、光伝送路に入射する。また、光伝送路からの光信号は、ハーフミラープリズム１１３を介し、フォトダイオード１１５Ａに送られ、電気信号に変換されて電気回路１１６に出力される。
【０００７】
【発明が解決しようとする課題】
しかしながら、従来の光一芯二芯兼用伝送装置１０１では、送受信ポート１１１の内端にハーフミラープリズム１１３を介してレーザダイオード１１４およびフォトダイオード１１５Ａを配設しているので、光一芯二芯兼用伝送装置１０１を光一芯伝送方式に対応させた場合、光一芯二芯兼用伝送装置１０１から送信された光信号が光伝送路上や光伝送路の接続部等で反射されて生じる反射光を自らのフォトダイオード１１５Ａで受信してしまう。このため、送信と受信とを時分割で行なう必要があり、送信と受信とを同時に行なう全二重通信には適用できなかった。このように従来の光一芯二芯兼用伝送装置１０１は全二重通信には適用できないので、通信に長時間を要するという問題があった。
【０００８】
本発明はこのような課題を解決するためになされたものであり、その目的は、全二重通信に適用可能な光一芯二芯兼用伝送装置を提供することにある。
【０００９】
【課題を解決するための手段】
このような目的を達成するために、本発明の光一芯二芯兼用伝送装置は、送信用および受信用の２本の光伝送路を介して第１の波長の光を送受信する光二芯伝送装置または１本の光伝送路を介して第１の波長の光を受信するとともに第１の波長とは異なる第２の波長の光を送信する光一芯伝送装置に選択的に接続される光一芯二芯兼用伝送装置であって、第１の波長の光を出力する発光素子と、第１および第２の波長の光を検出する受光素子と、発光素子の出力に接続される第１のポート、受光素子の入力に接続される第２のポート、光二芯伝送装置に接続された２本の光伝送路の一方または光一芯伝送装置に接続された１本の光伝送路に選択的に接続される第３のポート、および光二芯伝送装置に接続された２本の光伝送路の他方に選択的に接続される第４のポートの４つのポートを有する光合分波器とを備え、光合分波器は、第１の波長の光を第１のポートと第３のポートとの間および第２のポートと第４のポートとの間に通すとともに、第２の波長の光を第２のポートと第３のポートとの間に通すことを特徴とする。
【００１０】
この光一芯二芯兼用伝送装置を光一芯伝送方式に対応させ、光一芯伝送装置に接続された１本の光伝送路を光合分波器の第３のポートに接続した場合、光一芯二芯兼用伝送装置の発光素子から出力された第１の波長の光の一部が光伝送路上などで反射されても、その反射光は光合分波器の第３のポートと第１のポートとの間を通るので、第２のポートへは向かわない。よって、光合分波器の第２のポートに接続された受光素子により反射光が受光されることはない。
【００１１】
また、第１の波長を１．３μｍ、第２の波長を１．５μｍとしてもよい。
【００１２】
【発明の実施の形態】
以下、図１〜図６を参照して、本発明の一実施の形態について詳細に説明する。なお、図１〜図６において、同一部分には同一符号を付している。
図１は、本発明の光一芯二芯兼用伝送装置の一実施の形態の構成を示すブロック図である。この光一芯二芯兼用伝送装置１は、送受信ポート１１と、受信ポート１２と、光合分波器１３と、発光素子としてのレーザダイオード１４と、受光素子としてのフォトダイオード１５と、電気回路１６とから構成されている。
【００１３】
送受信ポート１１は、光二芯伝送方式で用いられる２本の光伝送路のうちの送信用伝送路の接続端部に設けられたプラグ（図示せず）、または光一芯伝送方式で用いられる１本の光伝送路の接続端部に設けられたプラグ（図示せず）を受容するためのものである。また、受信ポート１２は、光二芯伝送方式で用いられる２本の光伝送路のうちの受信用伝送路の接続端部に設けられたプラグ（図示せず）を受容するためのものである。
【００１４】
光合分波器１３は、第１〜第４のポートＡ〜Ｄを有する４ポート光合分波器であり、複数ポートからの異なる波長の入射光を合波するとともに、波長多重された光信号を波長毎に分離する機能を有するものである。この光合分波器１３の特性は表１に示す通りである。すなわち、第１の波長として波長１．３μｍ帯の光をポートＡとポートＣとの間およびポートＢとポートＤとの間に通す。また、第２の波長として波長１．５μｍ帯の光をポートＡとポートＤとの間およびポートＢとポートＣとの間に通す。なお、波長１．３μｍ帯の光はポートＡとポートＤとの間およびポートＢとポートＣとの間をほとんど通らず、また波長１．５μｍ帯の光はポートＡとポートＣとの間およびポートＢとポートＤとの間をほとんど通らない。
【００１５】
【表１】
0003858663.tif 000002
【００１６】
なお、上記送受信ポート１１は、そこに挿入された光伝送路の端面が光合分波器１３のポートＣと対向するように配設される。また、上記受信ポート１２は、そこに挿入された光伝送路の端面が光合分波器１３のポートＤと対向するように配設される。
【００１７】
レーザダイオード１４は、波長１．３μｍ帯のレーザ光を出力するものである。レーザダイオード１４は、光合分波器１３のポートＡと対向する位置に配設され、ポートＡと光学的に接続されている。レーザダイオード１４の代わりに発光ダイオード等を用いてもよい。なお、図面ではレーザダイオード１４を１．３μｍ帯ＬＤと表記している。
フォトダイオード１５は、少なくとも１．３μｍ〜１．５μｍの波長帯の光を検出するものであり、受信した光信号を電気信号に変換する機能を有している。フォトダイオード１５は、光合分波器１３のポートＢと対向する位置に配設され、ポートＢと光学的に接続されている。なお、図面ではレーザダイオード１５をＰＤと表記している。
【００１８】
電気回路１６は、レーザダイオード１４およびフォトダイオード１５と電気的に接続され、外部装置（図示せず）からの信号を受け取り、この信号を基にレーザダイオード１４を駆動するとともに、フォトダイオード１５の出力信号を受け取り、上記外部装置へ送出する機能を有している。
【００１９】
次に、図２を参照して、光合分波器１３の構成例について説明する。
図２（ａ）に示す光合分波器１３Ａは、２本の光ファイバ７１，７２のそれぞれの中央部側面７３を融着させたものである。２本の光ファイバ７１，７２の結合のさせ方により、ある波長λ1 の光に対しては入射した光ファイバをそのまま透過させ、他のある波長λ2 の光に対してはすべて他の光ファイバに結合させることができる。
図２（ｂ）に示す光合分波器１３Ｂは、光ファイバ７１，７２に代えて、光導波路８１，８２で構成したものである。
【００２０】
図２（ｃ）に示す光合分波器１３Ｃは、セルフォックレンズ９１にフィルタ９２を組み込み、セルフォックレンズ９１の一端面に２本の光ファイバ９３，９４を配設するとともに、セルフォックレンズ９１の他端面に２本の光ファイバ９５，９６を配設したものである。フィルタ９２は、特定の波長λ2 の光のみを反射するものであり、波長λ1 の光は透過させる。
なお、図２に示す符号Ａ〜Ｄは、光合分波器１３のポートＡ〜Ｄに対応している。
【００２１】
以上のような構成を有する光一芯二芯兼用伝送装置１は、光伝送路を介して送受信される光信号を他の伝送路を介して外部装置に中継するものであり、光二伝送方式および光一芯伝送方式の両方式に対応可能である。まず、図３を参照して、光一芯二芯兼用伝送装置１が光二芯伝送装置２と対向して光二芯伝送方式で通信を行なう場合について説明する。
図３に示すように、光一芯二芯兼用伝送装置１と光二芯伝送装置２との間は、２本の光導波路４Ａ，４Ｂにより接続されている。２本の光導波路４Ａ，４Ｂは光信号を伝送するものであり、二芯の光ファイバにより構成される。なお、光導波路４Ａが、光一芯二芯兼用伝送装置１からみた送信用伝送路にあたり、光導波路４Ｂが、光一芯二芯兼用伝送装置１からみた受信信用伝送路にあたる。
【００２２】
光二芯伝送装置２は、送信ポート２１と、受信ポート２２と、レーザダイオード２４と、フォトダイオード２５と、電気回路２６とから構成されている。送信ポート２１，２２は、それぞれ光伝送路４Ｂ，４Ａの接続端部に設けられたプラグ（図示せず）を受容するためのものである。レーザダイオード（１．３μｍ帯ＬＤ）２４は発光素子の一構成例であり、光一芯二芯兼用伝送装置１のレーザダイオード１４と同じ波長１．３μｍ帯のレーザ光を出力するものである。フォトダイオード（ＰＤ）２５は受光素子の一構成例であり、少なくとも波長１．３μｍ帯の光を検出するものである。電気回路２６は、外部装置からの信号を受け取り、この信号を基にレーザダイオード２４を駆動するとともに、フォトダイオード２５の出力信号を受け取り、上記外部装置へ送出する機能を有している。
【００２３】
また、光一芯二芯兼用伝送装置１の電気回路１６は、外部装置として加入者宅側装置５に接続され、光二芯伝送装置２の電気回路２６は、外部装置として事業者側装置６に接続されているものとする。加入者宅側装置５はパソコン等の端末機器等を示し、事業者側装置６は信号の処理や切替などを行なうネットワーク機器等を示す。
【００２４】
加入者宅側装置５から送信された信号は、光一芯二芯兼用伝送装置１の電気回路１６で処理され、レーザダイオード１４を駆動する信号に変換される。そしてレーザダイオード１４で波長１．３μｍの光信号に変換され、光合分波器１３へと送られる。表１に示したように、光合分波器１３のポートＡから入射された波長１．３μｍの光信号は、ポートＣのみから出射される。この光信号は光伝送路４Ａを介して光二芯伝送装置２へと送られる。光二芯伝送装置２で受け取られた光信号はフォトダイオード２５で電気信号に変換され、電気回路２６で処理されて事業者側装置６へと送られる。
【００２５】
また、事業者側装置６から送信された信号は、光二芯伝送装置２の電気回路２６で処理され、レーザダイオード２４を駆動する信号に変換される。そしてレーザダイオード２４で波長１．３μｍの光信号に変換され、光伝送路４Ｂへと送られる。光伝送路４Ｂを伝送されてきた光信号は、光一芯二芯兼用伝送装置１の光合分波器１３のポートＤへ送られる。表１に示したように、光合分波器１３のポートＤから入射された波長１．３μｍの光信号は、ポートＢのみから出射される。この光信号はフォトダイオード１５で電気信号に変換され、電気回路１６で処理されて加入者宅側装置５へと送られる。
このように光一芯二芯兼用伝送装置１は、光二芯伝送装置２と対向して光二芯伝送方式で通信を行なうことができる。
【００２６】
また、仮に光一芯二芯兼用伝送装置１から送信された波長１．３μｍの光信号の一部が光伝送路４Ａ上や光伝送路４Ａの接続部等で反射されて戻ってきても、その反射光は表１に示したように光合分波器１３のポートＣとポートＡとの間を通るので、ポートＢへは向かわない。よって、反射光がフォトダイオード１５により受光されることはない。このため、送信と受信とを同時に行う全二重通信を実施しても、反射光に基づく信号が加入者宅側装置５に伝送され誤動作を引き起こすことはない。
【００２７】
次に、図４を参照して、光一芯二芯兼用伝送装置１が光一芯伝送装置３と対向して光一芯伝送方式で通信を行なう場合について説明する。
図４に示すように、光一芯二芯兼用伝送装置１と光二芯伝送装置３との間は、１本の光導波路４Ｃにより接続されている。この光導波路４Ｃは光信号を伝送するものであり、一芯の光ファイバにより構成される。なお、光導波路４Ｃは光一芯二芯兼用伝送装置１の送受信ポート１１に挿入される。
【００２８】
光二芯伝送装置３は、送受信ポート３１と、光合分波器３３と、レーザダイオード３４と、フォトダイオード３５と、電気回路３６とから構成されている。送受信ポート３１は、光伝送路４Ｃの接続端部に設けられたプラグ（図示せず）を受容するためのものである。光合分波器３３は、３個のポートＥ，Ｆ，Ｇを有し、複数ポートからの異なる波長の入射光を合波するとともに、波長多重された光信号を波長毎に分離する機能を有するものである。この光合分波器３３の特性を表２に示す。
【００２９】
【表２】
0003858663.tif 000003
【００３０】
レーザダイオード（１．５μｍ帯ＬＤ）３４は発光素子の一構成例であり、光一芯二芯兼用伝送装置１のレーザダイオード１４とは異なる波長１．５μｍ帯のレーザ光を出力するものである。フォトダイオード（ＰＤ）３５は受光素子の一構成例であり、少なくとも波長１．３μｍ帯の光を検出するものである。電気回路３６は、外部装置からの信号を受け取り、この信号を基にレーザダイオード３４を駆動するとともに、フォトダイオード３５の出力信号を受け取り、上記外部装置へ送出する機能を有している。
また、光一芯二芯兼用伝送装置１の電気回路１６は、外部装置として加入者宅側装置５に接続され、光一芯伝送装置３の電気回路３６は、外部装置として事業者側装置６に接続されているものとする。
【００３１】
加入者宅側装置５から送信された信号は、光一芯二芯兼用伝送装置１の電気回路１６で処理され、レーザダイオード１４を駆動する信号に変換される。そしてレーザダイオード１４で波長１．３μｍの光信号に変換され、光合分波器１３へと送られる。表１に示したように、光合分波器１３のポートＡから入射された波長１．３μｍの光信号は、ポートＣのみから出射される。この光信号は光伝送路４Ｃを介して光一芯伝送装置３へと送られる。光一芯伝送装置３で受け取られた光信号は、光合分波器３３のポートＧへと送られる。表２に示したように、光合分波器３３のポートＧから入射された波長１．３μｍの光信号はポートＥのみから出射され、フォトダイオード３５へ送られる。そしてフォトダイオード３５で電気信号に変換され、電気回路３６で処理されて事業者側装置６へと送られる。
【００３２】
また、事業者側装置６から送信された信号は、光一芯伝送装置３の電気回路３６で処理され、レーザダイオード３４を駆動する信号に変換される。そしてレーザダイオード３４で波長１．５μｍの光信号に変換され、光合分波器３３のポートＦへと送られる。表２に示したように、光合分波器３３のポートＦから入射された波長１．５μｍの光信号はポートＧから出射され、光伝送路４Ｃへと送られる。光伝送路４Ｃを伝送されてきた光信号は、光一芯二芯兼用伝送装置１の光合分波器１３のポートＣへ送られる。表１に示したように、光合分波器１３のポートＣから入射された波長１．５μｍの光信号は、ポートＢのみから出射される。この光信号はフォトダイオード１５で電気信号に変換され、電気回路１６で処理されて加入者宅側装置５へと送られる。
このように光一芯二芯兼用伝送装置１は、光一芯伝送装置３と対向して光一芯芯伝送方式で通信を行なうことができる。
【００３３】
また、仮に光一芯二芯兼用伝送装置１から送信された波長１．３μｍの光信号の一部が光伝送路４Ｃ上や光伝送路４Ｃの接続部等で反射されて戻ってきても、その反射光は表１に示したように光合分波器１３のポートＣとポートＡとの間を通るので、ポートＢへは向かわない。よって、反射光がフォトダイオード１５により受光されることはない。このため、送信と受信とを同時に行う全二重通信を実施しても、反射光に基づく信号が加入者宅側装置５に伝送され誤動作を引き起こすことはない。したがって光一芯二芯兼用伝送装置１によれば、光一芯伝送方式に対応させた状態で全二重通信を行うことが可能である。全二重通信を行なうことにより、通信速度を２倍以上とし、通信時間を１／２以下とすることができる。
なお、光一芯二芯兼用伝送装置１は、光一芯伝送方式に対応させた状態で、送信と受信とを時分割で行なう半二重通信（ピンポン方式）にも対応可能であることは言うまでもない。
【００３４】
次に、図５を参照して、光一芯二芯兼用伝送装置１同士が対向して光二芯伝送方式で通信を行なう場合について説明する。ここでは２つの光一芯二芯兼用伝送装置１を区別するために、一方を光一芯二芯兼用伝送装置１Ａ、他方を光一芯二芯兼用伝送装置１Ｂという。これら２つの光一芯二芯兼用伝送装置１Ａ，１Ｂの間は、２本の光導波路４Ａ，４Ｂにより接続されている。光一芯二芯兼用伝送装置１Ａの電気回路１６は、外部装置として加入者宅側装置５に接続され、光一芯二芯兼用伝送装置１Ｂの電気回路１６は、外部装置として事業者側装置６に接続されているものとする。
【００３５】
加入者宅側装置５から送信された信号は、光一芯二芯兼用伝送装置１Ａの電気回路１６で処理され、レーザダイオード１４を駆動する信号に変換される。そしてレーザダイオード１４で波長１．３μｍの光信号に変換され、光合分波器１３へと送られる。表１に示したように、光合分波器１３のポートＡから入射された波長１．３μｍの光信号は、ポートＣのみから出射される。この光信号は光伝送路４Ａを介して光一芯二芯兼用伝送装置１Ｂへと送られる。光一芯二芯兼用装置１Ｂで受け取られた光信号は、光合分波器１３のポートＤへと送られる。表１に示したように、光合分波器のポートＤから入射された波長１．３μｍの光信号はポートＢのみから出射され、フォトダイオード１５へ送られる。そしてフォトダイオード１５で電気信号に変換され、電気回路１６で処理されて事業者側装置６へと送られる。
事業者側装置６からの信号についても同様である。
このように光一芯二芯兼用伝送装置１同士が対向した場合、光二芯伝送方式で通信を行なうことができる。
また、この場合も、全二重通信を行えることは言うまでもない。
【００３６】
対向する２つの光一芯二芯兼用伝送装置の光信号の波長が互いに異なる場合には、光一芯伝送方式で通信を行うこともできる。その一例を図６を参照して説明する。
光一芯二芯兼用伝送装置１Ａは、図１に示した光一芯二芯兼用伝送装置１と同一構成を有している。光一芯二芯兼用伝送装置１Ｃは、光一芯二芯兼用伝送装置１Ａとほぼ同様の構成を有するが、装置１Ａが波長１．３μｍ帯のレーザ光を出力するレーザダイオード（１．３μｍ帯ＬＤ）１４を有するのに対し、装置１Ｃは波長１．５μｍ帯のレーザ光を出力するレーザダイオード（１．５μｍ帯ＬＤ）１４Ｃを有している。このレーザダイオード１４Ｃは、光合分波器１３のポートＢと対向する位置に配設されている。また、フォトダイオード（ＰＤ）１５Ｃは、光合分波器１３のポートＡと対向する位置に配設されている。なお、送受信ポート１１および受信ポート１２と、光合分波器１３のポートＣおよびポートＤとの対応関係は、光一芯二芯兼用伝送装置１Ａと同じである。
光一芯二芯兼用伝送装置１Ａの電気回路１６は、外部装置として加入者宅側装置５に接続され、光一芯二芯兼用伝送装置１Ｃの電気回路１６は、外部装置として事業者側装置６に接続されているものとする。
【００３７】
加入者宅側装置５から送信された信号は、光一芯二芯兼用伝送装置１Ａの電気回路１６で処理され、レーザダイオード１４を駆動する信号に変換される。そしてレーザダイオード１４で波長１．３μｍの光信号に変換され、光合分波器１３へと送られる。表１に示したように、光合分波器１３のポートＡから入射された波長１．３μｍの光信号は、ポートＣのみから出射される。この光信号は光伝送路４Ｃを介して光一芯二芯兼用伝送装置１Ｃへと送られる。光一芯二芯兼用装置１Ｃで受け取られた光信号は、光合分波器１３のポートＣへと送られる。表１に示したように、光合分波器のポートＣから入射された波長１．３μｍの光信号はポートＡのみから出射され、フォトダイオード１５Ｃへ送られる。そしてフォトダイオード１５Ｃで電気信号に変換され、電気回路１６で処理されて事業者側装置６へと送られる。
【００３８】
また、事業者側装置６から送信された信号は、光一芯二芯兼用伝送装置１Ｃの電気回路１６で処理され、レーザダイオード１４Ｃを駆動する信号に変換される。そしてレーザダイオード１４Ｃで波長１．５μｍの光信号に変換され、光合分波器１３へと送られる。表１に示したように、光合分波器１３のポートＢから入射された波長１．５μｍの光信号は、ポートＣのみから出射される。この光信号は光伝送路４Ｃを介して光一芯二芯兼用伝送装置１Ａへと送られる。光一芯二芯兼用装置１Ａで受け取られた光信号は、光合分波器１３のポートＣへと送られる。表１に示したように、光合分波器のポートＣから入射された波長１．５μｍの光信号はポートＢのみから出射され、フォトダイオード１５へ送られる。そしてフォトダイオード１５で電気信号に変換され、電気回路１６で処理されて加入者宅側装置５へと送られる。
このように、対向する２つの光一芯二芯兼用伝送装置１Ａ，１Ｃの光信号の波長が互いに異なる場合には、光一芯伝送方式で通信を行うことができる。
また、この場合も、全二重通信を行えることは言うまでもない。
【００３９】
なお、以上では第１の波長を１．３μｍ、第２の波長を１．５μｍとして説明したが、この例に限定されるものではない。
【００４０】
【発明の効果】
以上説明したように、本発明の光一芯二芯兼用伝送装置では、第１の波長の光を第１のポートと第３のポートとの間および第２のポートと第４のポートとの間に通し、第２の波長の光を第２のポートと第３のポートとの間に通す光合分波器を有している。この光一芯二芯兼用伝送装置を光一芯伝送方式に対応させ、光一芯伝送装置に接続された１本の光伝送路を光合分波器の第３のポートに接続した場合、光一芯二芯兼用伝送装置の発光素子から出力された第１の波長の光の一部が光伝送路上などで反射されても、その反射光は光合分波器の第３のポートと第１のポートとの間を通るので、第２のポートへは向かわない。よって、光合分波器の第２のポートに接続された受光素子により反射光が受光されることはない。このため、送受信で異なる波長の光を用いることにより、全二重通信を行うことができる。すなわち、送信と受信とを同時に行うことができるので、従来の光一芯二芯兼用伝送装置よりも通信時間を短縮することができる。
【図面の簡単な説明】
【図１】  本発明の光一芯二芯兼用伝送装置の一実施の形態の構成を示すブロック図である。
【図２】  光合分波器の構成例を概念的に示す図である。
【図３】  図１に示す光一芯二芯兼用伝送装置が光二芯伝送装置と対向して光二芯伝送方式で通信を行なう場合の構成を示すブロック図である。
【図４】  図１に示す光一芯二芯兼用伝送装置が光一芯伝送装置と対向して光一芯伝送方式で通信を行なう場合の構成を示すブロック図である。
【図５】  光一芯二芯兼用伝送装置同士が対向して光二芯伝送方式で通信を行なう場合の構成を示すブロック図である。
【図６】  光一芯二芯兼用伝送装置同士が対向して光一芯伝送方式で通信を行なう場合の構成を示すブロック図である。
【図７】  従来の光一芯二芯兼用伝送装置の構成を示すブロック図である。
【符号の説明】
１，１Ａ〜１Ｃ…光一芯二芯兼用伝送装置、２…光二芯伝送装置、３…光一芯伝送装置、４Ａ〜４Ｃ…光伝送路、５…加入者宅側装置、６…事業者側装置、１１，３１…送受信ポート、１２，２２…受信ポート、１３，１３Ａ〜１３Ｃ，３３…光合分波器、１４，１４Ｃ，２４，３４…レーザダイオード（発光素子）、１５，１５Ｃ，２５，３５…フォトダイオード（受光素子）、１６，２６，３６…電気回路、２１…送信ポート、７１，７２，９３〜９６…光ファイバ、７３…光ファイバの中央部側面、８１，８２…光導波路、９１…セルフォックレンズ、９２…フィルタ、Ａ〜Ｄ…ポート。
【図１】
0003858663.tif 000004
【図２】
0003858663.tif 000005
【図３】
0003858663.tif 000006
【図４】
0003858663.tif 000007
【図５】
0003858663.tif 000008
【図６】
0003858663.tif 000009
【図７】
0003858663.tif 000010